(57)【特許請求の範囲】
【請求項１】
複数の撮影画像を記録する記録部と、
前記記録部に記録された前記撮影画像を表示する表示部と、
前記表示部に画像を表示させるために操作者が操作する操作部と、
前記記録部に記録された前記複数の撮影画像のそれぞれについて、撮影されてからの経過時間を検出する検出部と、
前記撮影されてからの経過時間が所定閾値より短いとき、前記操作者による前記操作部の操作に応じて前記撮影画像を表示するように前記表示部を制御し、前記撮影されてからの経過時間が前記所定閾値より長いとき、前記操作者により前記操作部が操作されても前記撮影画像を表示しないように前記表示部を制御する制御部と
を含むデジタルカメラ。
【請求項２】
請求項１に記載されたデジタルカメラであって、
前記操作者により前記所定閾値を設定可能な設定部を有し、
前記制御部は、前記操作者に前記所定閾値の設定を促す表示をするように前記表示部を制御すること
を特徴とするデジタルカメラ。
【請求項３】
請求項１又は請求項２に記載されたデジタルカメラであって、
前記制御部は、前記経過時間の長さが長くなるほど、前記表示部に表示される前記撮影画像の表示形態を制限すること
を特徴とするデジタルカメラ。
【請求項４】
請求項２又は請求項３に記載のデジタルカメラであって、
前記制御部は、前記検出部によって計測された経過時間が前記設定部によって設定された前記所定閾値に達すると、前記表示部の再生表示機能の制限を行うこと
を特徴とするデジタルカメラ。
【請求項５】
請求項４に記載のデジタルカメラであって、
前記制御部により前記再生表示機能が制限される表示形態を選択する制限形態選択部を備え、
前記制御部は、前記表示部への表示を、前記制限形態選択部によって選択された表示形態に制限すること
を特徴とするデジタルカメラ。
【請求項６】
請求項４又は請求項５に記載のデジタルカメラであって、
撮影された画像のデータを圧縮するデータ圧縮部を備え、
前記制御部は、前記表示部に表示される画像データの前記データ圧縮部による圧縮率を選択して画質を制限すること
を特徴とするデジタルカメラ。
【請求項７】
請求項６に記載のデジタルカメラであって、
前記表示部は、前記記録部に記録された撮影画像に基づいて複数の撮影画像をサムネイル表示する機能を有し、
前記制御部は、複数のサムネイル画像の中から選択される一のサムネイル画像に対応する一の撮影画像に対して、前記データ圧縮部による圧縮率を適用して画質を制限すること
を特徴とするデジタルカメラ。
【請求項８】
請求項１〜請求項７までのいずれか１項に記載のデジタルカメラであって、
前記表示部は、前記撮影画像を拡大表示する機能を有し、
前記制御部は、前記表示部による拡大表示の設定倍率を所定倍率以下に制限すること
を特徴とするデジタルカメラ。
【請求項９】
請求項１〜請求項８までのいずれか１項に記載のデジタルカメラであって、
前記表示部は、前記記録部に記録された撮影画像に基づいて複数の撮影画像をサムネイル表示する機能を有し、
前記制御部は、前記表示部への撮影画像をサムネイル表示に制限すること
を特徴とするデジタルカメラ。
【請求項１０】
請求項２〜請求項９までのいずれか１項に記載のデジタルカメラであって、
前記制御部は、前記検出部によって検出された経過時間が前記設定部によって設定された前記所定閾値に達すると、前記撮影画像の前記表示部への表示を禁止すること
を特徴とするデジタルカメラ。
【請求項１１】
請求項１〜請求項１０までのいずれか１項に記載のデジタルカメラであって、
前記表示部の表示機能が制限される度合いを選択する制限度合い選択部を備え、
前記制御部は、前記制限度合い選択部によって選択された度合いで前記表示部の表示機能を制限すること
を特徴とするデジタルカメラ。
【請求項１２】
請求項１〜請求項１１までのいずれか１項に記載のデジタルカメラであって、
前記制御部は、前記検出部によって検出される前記経過時間に応じて前記表示部の表示機能を制限する度合いを高めること
を特徴とするデジタルカメラ。
【請求項１３】
請求項１２に記載のデジタルカメラであって、
前記制御部は、前記経過時間に応じて拡大表示の拡大倍率の上限を徐々に低く設定すること
を特徴とするデジタルカメラ。
【発明の詳細な説明】
【技術分野】
【０００１】
本発明は、画像記録手段に記録された画像データに基づいて撮影画像を画像表示部に再生表示させる再生表示手段を備えたデジタルカメラに関するものである。
【背景技術】
【０００２】
従来、この種のデジタルカメラは、メモリの大容量化に伴い、撮影した画像のデータを大量に保存でき、撮影者は、メモリを交換することなく、連続して撮影を続けられるようになった。また、撮影画像をデジタルデータにして扱うため、撮影画像の複製や加工が容易であり、フィルム式カメラに比べて利便性が向上している。一方、この種のデジタルカメラでは、撮影画像の管理が問題になってきており、画像データが保存されたメモリや、このメモリが内蔵されたカメラ自体が第三者の手に渡ってしまうと、大量の撮影画像が簡単に閲覧されたり、盗難されてしまう。このため、最近では、セキュリティ機能を備えたデジタルカメラが考案されている。
【０００３】
例えば、下記の特許文献１には、通常撮影時の通常画像の画像データと、プライベート撮影時のプライベート画像の画像データとが、それぞれ異なるメモリ領域に記録されるデジタルカメラが開示されている。このデジタルカメラでは、画像ロック機能がセットされるとプライベート画像の閲覧が禁止され、通常画像のみの閲覧が可能となる。このため、カメラを他人に閲覧させるような場合、予め画像ロック機能をセットしておくことで、プライベート画像が他人に見られて個人的な内容が暴露されてしまうことを防止することができる。このようなセキュリティ機能を備えたデジタルカメラとしては、特許文献１に開示されたデジタルカメラの他にも、例えば、予め登録しておいた指紋データや掌紋データなどを用いて個人認証を行うことによってセキュリティを図るものや、パスワード入力によってカメラ操作を許可することによってセキュリティを図るものなどがある。
【特許文献１】特開２００４−２１５１０３号公報
【発明の開示】
【発明が解決しようとする課題】
【０００４】
しかしながら、特許文献１に開示された上記従来のデジタルカメラでは、画像ロック機能をセットしてプライベート画像を表示させないようにすることで、個人的な画像データを保護することはできても、撮影者がプライベート画像を閲覧する際には、その都度、画像ロック機能の解除操作が必要となる。このため、特許文献１に開示された上記従来のデジタルカメラは、プライベート画像が第三者に閲覧されることを防ぐセキュリティを解く操作が、撮影者にとって手間のかかるものであった。
【０００５】
また、最近のデジタルカメラに装備されている背面ディスプレイは、高品位の画質で精細に拡大表示などが行えるため、撮影画像の細部までをも第三者に見られるおそれがある。また、背面ディスプレイに表示される撮影画像が他のカメラで第三者によって撮影され、画質の低下のほとんどない状態で簡単に盗難されてしまうおそれもある。
【課題を解決するための手段】
【０００６】
前記課題を解決するために、請求項１に記載の発明は、複数の撮影画像を記録する記録部と、前記記録部に記録された前記撮影画像を表示する表示部と、前記表示部に画像を表示させるために操作者が操作する操作部と、前記記録部に記録された前記複数の撮影画像のそれぞれについて、撮影されてからの経過時間を検出する検出部と、前記撮影されてからの経過時間が所定閾値より短いとき、前記操作者による前記操作部の操作に応じて前記撮影画像を表示するように前記表示部を制御し、前記撮影されてからの経過時間が前記所定閾値より長いとき、前記操作者により前記操作部が操作されても前記撮影画像を表示しないように前記表示部を制御する制御部とを含む。
【０００７】
この構成によれば、撮影画像が記録されてからの経過時間が所定閾値より短い場合は、頻繁にロック解除操作を行なうという煩わしさが低減され容易に撮影画像を閲覧できるとともに、撮影画像が記録されてからの経過時間が所定閾値より長い場合は、第三者による撮影画像の閲覧が有効に防止される。
【０００８】
請求項２に記載の発明は、請求項１に記載されたデジタルカメラであって、前記操作者により前記所定閾値を設定可能な設定部を有し、前記制御部は、前記操作者に前記所定閾値の設定を促す表示をするように前記表示部を制御することを特徴とする。
この構成によれば、撮影者は、再生表示を制限する設定を容易に行うことができる。
請求項３に記載の発明は、請求項１又は請求項２に記載されたデジタルカメラであって、前記制御部は、前記経過時間の長さが長くなるほど、前記表示部に表示される前記撮影画像の表示形態を制限することを特徴とする。
この構成によれば、経過時間が長くなるほど、表示形態の制限を強くすることができる。
【０００９】
請求項４に記載の発明は、請求項２又は請求項３に記載のデジタルカメラであって、前記制御部は、前記検出部によって計測された経過時間が前記設定部によって設定された前記所定閾値に達すると、前記表示部の再生表示機能の制限を行うことを特徴とする。
【００１０】
この構成によれば、撮影画像の表示部への表示は、検出部により計測された経過時間が設定部により設定された許容時間に達すると、制御部によって制限される。このため、撮影者は、前記設定部によって許容時間を設定することにより、例えば、撮影後における撮影画像の閲覧可能な時間を希望の時間に設定することができ、撮影画像の閲覧の際の撮影者の便宜が図られるようになる。
【００１１】
請求項５に記載の発明は、請求項４に記載のデジタルカメラであって、前記制御部により前記再生表示機能が制限される表示形態を選択する制限形態選択部を備え、前記制御部は、前記表示部への表示を、前記制限形態選択部によって選択された表示形態に制限することを特徴とする。
【００１２】
この構成によれば、撮影画像の表示部への表示は、制御部によって、撮影画像の画像表示部への再生表示が、制限形態選択部により選択された表示形態に規制されて、制限される。このため、第三者によって閲覧される撮影画像は、制限形態選択部によって選択された表示形態に制限され、撮影者の許容する表示形態に制限される。
【００１３】
請求項６に記載の発明は、請求項４又は請求項５に記載のデジタルカメラであって、撮影された画像のデータを圧縮するデータ圧縮部を備え、前記制御部は、前記表示部に表示される画像データの前記データ圧縮部による圧縮率を選択して画質を制限することを特徴とする。
【００１４】
この構成によれば、撮影画像の表示部への表示は、制御部によって、表示部に再生表示される画像データのデータ圧縮部による圧縮率が選択されて画質が規制されることにより、制限される。このため、第三者によって閲覧される撮影画像は、選択された圧縮率で圧縮された画質に制限され、撮影者の許容する画質に制限される。
【００１５】
請求項７に記載の発明は、請求項６に記載のデジタルカメラであって、前記表示部は、前記記録部に記録された撮影画像に基づいて複数の撮影画像をサムネイル表示する機能を有し、前記制御部は、複数のサムネイル画像の中から選択される一のサムネイル画像に対応する一の撮影画像に対して、前記データ圧縮部による圧縮率を適用して画質を制限することを特徴とする。
【００１６】
この構成によれば、撮影画像の表示部への表示は、制御部によって、表示部にサムネイル表示される一のサムネイル画像に対応する一の撮影画像の画像データに対して、データ圧縮部による圧縮率が適用されて、表示部に再生表示される一の撮影画像の画質が規制されることにより、制限される。このため、第三者によって閲覧される各サムネイル画像に対応する撮影画像は、選択された圧縮率で圧縮された画質に制限され、撮影者の許容する画質に制限される。
【００１７】
請求項８に記載の発明は、請求項１〜請求項７までのいずれか１項に記載のデジタルカメラであって、前記表示部は、前記撮影画像を拡大表示する機能を有し、前記制御部は、前記表示部による拡大表示の設定倍率を所定倍率以下に制限することを特徴とする。
【００１８】
この構成によれば、撮影画像の表示部への表示は、制御部によって、表示部に再生表示される撮影画像の拡大表示の設定倍率が、所定倍率以下に規制されることにより、制限される。このため、第三者によって閲覧される撮影画像は、拡大表示が所定倍率以下に制限され、撮影者の許容する倍率での拡大表示に制限される。
【００１９】
請求項９に記載の発明は、請求項１〜請求項８までのいずれか１項に記載のデジタルカメラであって、前記表示部は、前記記録部に記録された撮影画像に基づいて複数の撮影画像をサムネイル表示する機能を有し、前記制御部は、前記表示部への撮影画像をサムネイル表示に制限することを特徴とする。
【００２０】
この構成によれば、撮影画像の表示部への表示は、制御部によって、撮影画像の表示部への表示形態がサムネイル表示に規制され、制限される。このため、第三者によって閲覧される撮影画像は、撮影者の許容するサムネイル表示画像に制限される。
【００２１】
請求項１０に記載の発明は、請求項２〜請求項９までのいずれか１項に記載のデジタルカメラであって、前記制御部は、前記検出部によって検出された経過時間が前記設定部によって設定された前記所定閾値に達すると、前記撮影画像の前記表示部への表示を禁止することを特徴とする。
【００２２】
この構成によれば、撮影画像の表示部への表示は、検出部により検出された経過時間が設定部によって設定された許容時間に達すると、撮影画像の表示部への再生表示が禁止されることにより、制限される。このため、撮影画像の表示部への再生表示の禁止によって制限されるため、撮影画像の表示部への再生表示の開始を許容する許容時間が規制された後における、撮影画像の第三者による閲覧や盗難を確実に防止することができる。
【００２３】
請求項１１に記載の発明は、請求項１〜請求項１０までのいずれか１項に記載のデジタルカメラであって、前記表示部の表示機能が制限される度合いを選択する制限度合い選択部を備え、前記制御部は、前記制限度合い選択部によって選択された度合いで前記表示部の表示機能を制限することを特徴とする。
【００２４】
この構成によれば、撮影画像の表示部への表示は、制御部によって、制限度合い選択部により選択された度合いに再生表示が規制されることにより、制限される。このため、第三者によって閲覧される撮影画像は、制限度合い選択部によって選択された度合いの再生表示に制限されて、撮影者の許容する度合いの再生表示に制限される。
【００２５】
請求項１２に記載の発明は、請求項１〜請求項１１までのいずれか１項に記載のデジタルカメラであって、前記制御部は、前記検出部によって検出される前記経過時間に応じて前記表示部の表示機能を制限する度合いを高めることを特徴とする。
【００２６】
この構成によれば、撮影画像の表示部への表示は、制御部によって、再生表示の制限される度合いが検出部によって検出される経過時間に応じて高められることにより、制限される。このため、第三者によって閲覧される撮影画像は、その画像が撮影されてからの経過時間に応じて再生表示の制限される度合いが高められて、認識し難くなる。
【００２７】
請求項１３に記載の発明は、  請求項１２に記載のデジタルカメラであって、前記制御部は、前記経過時間に応じて拡大表示の拡大倍率の上限を徐々に低く設定することを特徴とする。
【００２８】
この構成によれば、撮影画像の表示部への表示は、制御部によって、表示部に再生表示される撮影画像の拡大表示の倍率の上限が、その画像が撮影されてからの経過時間に応じて徐々に低くされることにより、制限される。このため、第三者によって閲覧される撮影画像は、その経過時間に応じてその拡大表示の倍率の上限が徐々に低くなり、拡大表示が制限されるようになる。
【発明の効果】
【００２９】
本発明によるデジタルカメラによれば、上記のように、撮影者が画像確認を手間なく行うことを可能としながら、撮影画像の第三者による閲覧や盗難を防止することができるデジタルカメラが提供される。また、画像表示部に再生表示されている撮影画像が第三者により閲覧されたり盗まれても、撮影画像は明瞭に視認されないため、撮影画像の内容が第三者に明瞭に把握されてしまうことが防止される。
【発明を実施するための最良の形態】
【００３０】
次に、本発明を実施するための最良の形態について説明する。
【００３１】
図１は、本実施形態によるデジタルカメラ１の外観を示しており、同図（ａ）はその正面斜視図、同図（ｂ）はその背面図である。
【００３２】
同図（ａ）に示すように、デジタルカメラ１の正面中央部には、被写界からの光を撮像素子に導く光学レンズユニット２が設けられており、その左上方にはシャッターボタン３が設けられている。また、光学レンズユニット２の右側方には、鍵装置２０の端子部２１が挿脱可能な端子孔８が設けられている。鍵装置２０の端子部２１を端子孔８に挿入し、操作ボタン２２に対して所定の操作を行うことで、後述するロックモードの設定および解除が行われる。
【００３３】
また、同図（ｂ）に示すように、デジタルカメラ１の背面上部には、撮影者によって覗かれる光学ファインダー４が設けられており、その下方には、デジタルカメラ１の操作情報の表示や撮影画像の再生表示などが行われる液晶モニタ５が設けられている。この液晶モニタ５は、ＱＶＧＡ液晶で構成されており、最大で３２０ｐｘ（ピクセル）×２４０ｐｘの画質の画像を表示する。液晶モニタ５は、画像を表示する画像表示部を構成している。液晶モニタ５の右側には、撮影者によって操作されるマルチセレクタ６が設けられており、マルチセレクタ６の右側には蓋７が設けられている。この蓋７を開くことで、撮影した画像のデータを記録するメモリカード１５（図２参照）が図示しないカードスロットに脱着される。
【００３４】
図２は、デジタルカメラ１の内部構成を示すブロック図である。なお、同図において図１と同一または相当する部分には同一の符号を付して説明する。
【００３５】
デジタルカメラ１は、その本体内部に、撮像素子１１、アナログ信号処理部１２、Ａ／Ｄ変換器１３、およびデジタル信号処理部を含む制御部１４を有している。制御部１４には、液晶モニタ５、メモリカード１５、および端子孔８が電気的に接続されている。上述したシャッターボタン３が撮影者によって押下されると、光学レンズユニット２を介して導かれた光が、撮像素子１１の受光面１１ａ上に結像する。撮像素子１１は、例えば、周知のＣＣＤ（Charge Coupled Device）センサやＣＭＯＳ（Complementary Metal Oxide Semiconductor）センサからなる。撮像素子１１の受光面１１ａ上に結像した被写界像はアナログの撮像信号に変換され、この撮像信号は、アナログ信号処理部１１において増幅処理などの信号処理が施された後、Ａ／Ｄ変換器１３においてデジタル信号に変換される。
【００３６】
制御部１４は、Ａ／Ｄ変換器１３でデジタル信号に変換された撮像信号に対して、ホワイトバランス処理やガンマ補正などの画像処理を行い、撮影された画像のデータを生成する。生成されたこの画像データは、制御部１４によって所定の圧縮率で圧縮されて、上述したカードスロットに挿入されたメモリカード１５に記録される。制御部１４は、メモリカード１５に記録された画像データに基づいて、マルチセレクタ６に対する撮影者の操作に従い、撮影画像を液晶モニタ５に表示させる。
【００３７】
制御部１４は、撮影された画像のデータを圧縮するデータ圧縮手段を構成している。また、メモリカード１５は、撮影された画像のデータを記録する画像記録手段を構成している。また、制御部１４は、メモリカード１５に記録された画像データに基づいて撮影画像を液晶モニタ５に再生表示させる再生表示手段を構成していると共に、再生表示手段による撮影画像の液晶モニタ５への再生表示の、開始が許容される許容時間（許容時期）または表示形態のうちの少なくともいずれか一方を規制することにより、再生表示手段による撮影画像の液晶モニタ５への再生表示機能を制限する機能制限手段を構成している。また、制御部１４は、時計（タイマ）機能を有しており、この時計機能によって、撮影画像が撮影されてメモリカード１５に画像データが記録されてからの経過時間を計測する経過時間計測手段を構成している。
【００３８】
また、制御部１４およびマルチセレクタ６は、再生表示手段による撮影画像の液晶モニタ５への再生表示指示を受け付けて再生動作可能な前述の許容時間を任意に設定可能な時間設定手段を構成していると共に、機能制限手段により再生表示機能が制限される表示形態を選択する制限形態選択手段を構成している。また、制御部１４およびマルチセレクタ６は、再生表示手段によって液晶モニタ５に再生表示される撮影画像を所定の設定倍率に拡大表示する拡大表示手段を構成していると共に、機能制限手段により再生表示機能が制限される度合いを選択する制限度合い選択手段を構成している。
【００３９】
本実施形態では、機能制限手段による前述の許容時間の規制は、後述するように、経過時間計測手段によって計測された経過時間が時間設定手段によって設定された許容時間に達すると、再生表示手段による撮影画像の液晶モニタ５への再生表示を禁止するなどして、再生表示機能の制限を行うことを含んでいる。また、機能制限手段による表示形態の規制は、後述するように、再生表示手段による撮影画像の液晶モニタ５への再生表示を、制限形態選択手段によって選択された表示形態に制限すること、また、液晶モニタ５に再生表示される画像データのデータ圧縮手段による圧縮率を選択して画質を制限すること、さらに、拡大表示手段による拡大表示の設定倍率を所定倍率以下に制限することを含んでいる。また、機能制限手段は、後述するように、制限度合い選択手段によって選択された度合いで再生表示機能を制限することを含んでいる。
【００４０】
図３は、液晶モニタ５に再生表示される撮影画像の再生制限方法を設定する際に、制御部１４によって行われる再生制限方法設定処理の概略を示すフローチャートである。また、図４（ａ）〜（ｅ）は、図３に示す再生制限方法設定処理で制限方法を設定するにあたって液晶モニタ５に表示される種々の選択画面を示す図である。
【００４１】
この再生制限方法設定処理では、まず、制御部１４は、鍵装置２０の端子部２１が端子孔８に挿入されているか否かを判別する。そして、鍵装置２０の端子部２１が端子孔８に挿入されていることを検出し、鍵装置２０の操作ボタン２２に対して第１の所定の操作（ロックモードを設定指示するための操作）が行われたときに、ロックモード（セキュリティモード）を開始させる（図３，Ｓ１参照）。ロックモードが開始されると、メモリカード１５に記録される撮影画像のデータが暗号化されると共に、蓋７がロックされてメモリカード１５が外部に取り出せなくなる。このロックモードは、鍵装置２０を用いて操作ボタン２２に対する第２の所定の操作（ロックモードを解除指示するための操作）が行われて解除されない限り、再生制限方法設定処理および後述する画像再生制限処理が終了しても継続して作動する。
【００４２】
続いて、制御部１４は、画像再生制限方法設定モードを開始させる（Ｓ２）。画像再生制限方法設定モードは、撮影に用いられたデジタルカメラ１の液晶モニタ５に撮影画像を再生表示させる制限方法（制限内容、制限形態）を、撮影者に設定させる作動状態である。画像再生制限方法設定モードを開始させると、制御部１４は、図４（ａ）に示す選択画面を液晶モニタ５に表示させ、液晶モニタ５で行われる撮影画像の再生表示を制限するか否かの選択を撮影者に促す。この選択画面では、液晶モニタ５に、「画像の再生を制限しますか？」という表示と共に、「する」および「しない」の選択肢が表示される。撮影者は、マルチセレクタ６を操作していずれかの選択肢に記号「＊」を移動させることにより、「する」または「しない」の選択肢を選択することができる。このとき、選択肢「しない」が選択されると、制御部１４は、再生制限方法設定処理を終了する。
【００４３】
一方、選択肢「する」が選択された場合、制御部１４は、次に、図４（ｂ）に示す選択画面を液晶モニタ５に表示させ（Ｓ３）、液晶モニタ５で行われる撮影画像の再生表示の制限方法の選択を撮影者に促す。この選択画面では、液晶モニタ５に、「制限方法を選択して下さい。」という表示と共に、「再生画質の制限」，「再生画像拡大の制限」，「再生開始許容時間の制限」，および「画像再生ＮＧ」の４つの選択肢が表示される。撮影者は、マルチセレクタ６を操作していずれかの選択肢に記号「＊」を移動させることにより、撮影画像の再生表示の希望する制限方法を選択することができる。
【００４４】
次に、制御部１４は、マルチセレクタ６の操作によって選択された選択肢が「再生画質の制限」であるか否かを判別する（Ｓ４）。この判別が“ＹＥＳ”である場合、制御部１４は、図４（ｃ）に示す選択画面を液晶モニタ５に表示させ、撮影画像が再生表示される際の画質を選択する操作を撮影者に促す。この選択画面では、液晶モニタ５に、「画質を選択して下さい。」という表示と共に、「３２０ｐｘ×２４０ｐｘ」，「２４０ｐｘ×１８０ｐｘ」，および「１８０ｐｘ×１３５ｐｘ」の３つの画質の圧縮率の選択肢が表示される。撮影者がマルチセレクタ６を操作していずれかの選択肢に記号「＊」を移動させて再生画質を選択すると、制御部１４は、撮影画像の再生時における再生画質を、撮影者によって選択された画質に設定する（Ｓ５）。
【００４５】
また、マルチセレクタ６の操作によって選択された選択肢が「再生画質の制限」でなくてＳ４の判別が“ＮＯ”である場合、または、Ｓ５の処理が終了すると、続いて、制御部１４は、マルチセレクタ６の操作によって選択された選択肢が「再生画像拡大の制限」であるか否かを判別する（Ｓ６）。この判別が“ＹＥＳ”である場合、制御部１４は、図４（ｄ）に示す選択画面を液晶モニタ５に表示させ、液晶モニタ５に再生表示される撮影画像を拡大表示させる際の拡大率を選択する操作を撮影者に促す。この選択画面では、液晶モニタ５に、「拡大率を選択して下さい。」という表示と共に、「拡大不可」，「２倍拡大まで許可」，および「４倍拡大まで許可」の３つの拡大率（設定倍率）の選択肢が表示される。撮影者がマルチセレクタ６を操作していずれかの選択肢に記号「＊」を移動させて拡大率を選択すると、制御部１４は、撮影画像を拡大表示させる拡大率を、撮影者によって選択された拡大率までに許可する設定を行う（Ｓ７）。
【００４６】
また、マルチセレクタ６の操作によって選択された選択肢が「再生画像拡大の制限」でなくてＳ６の判別が“ＮＯ”である場合、または、Ｓ７の処理が終了すると、続いて、制御部１４は、マルチセレクタ６の操作によって選択された選択肢が「再生開始許容時間の制限」であるか否かを判別する（Ｓ８）。この判別が“ＹＥＳ”である場合、制御部１４は、図４（ｅ）に示す選択画面を液晶モニタ５に表示させ、液晶モニタ５における撮影画像の再生開始許容時間、つまり、液晶モニタ５に再生表示を開始することが許容される許容時間の入力操作を撮影者に促す。この選択画面では、液晶モニタ５に、「再生開始許容時間を選択して下さい。」という表示と共に、「撮影後□□□分後まで再生許可」の表示がなされる。撮影者がマルチセレクタ６を操作して「□□□」の部分に許容時間を分単位で例えば０３０と入力すると、制御部１４は、液晶モニタ５に再生表示を開始することが許容される許容時間を、撮影者によって入力された許容時間例えば３０分に設定する（Ｓ９）。
【００４７】
また、マルチセレクタ６の操作によって選択された選択肢が「再生開始許容時間の制限」でなくてＳ８の判別が“ＮＯ”である場合、または、Ｓ９の処理が終了すると、続いて、制御部１４は、マルチセレクタ６の操作によって選択された選択肢が「画像再生ＮＧ」であるか否かを判別する（Ｓ１０）。この判別が“ＹＥＳ”である場合、制御部１４は、液晶モニタ５における撮影画像の再生表示を一切禁止する設定を行う（Ｓ１１）。Ｓ１０の判別が“ＮＯ”である場合、または、Ｓ１１の処理が終了すると、再生制限方法設定処理は終了する。
【００４８】
図５は、液晶モニタ５に撮影画像が再生表示される際に、制御部１４によって行われる画像再生制限処理の概略を示すフローチャートである。
【００４９】
この画像再生制限処理では、まず、制御部１４は、撮影画像の閲覧者によるマルチセレクタ６の操作によって、液晶モニタ５における画像再生の指示がなされたか否かを判別する（図５，Ｓ２１参照）。この判別が“ＮＯ”である場合、画像再生制限処理は終了する。
【００５０】
一方、Ｓ２１の判別が“ＹＥＳ”である場合、制御部１４は、画像再生の制限方法として「再生画質の制限」が撮影者によって設定されているか否かを判別する（Ｓ２２）。この判別が“ＹＥＳ”である場合、制御部１４は、液晶モニタ５に再生する画像の画質を、図３，Ｓ５の処理で設定されている画質に制限する処理を実行する（Ｓ２３）。例えば、画像再生制限処理により再生表示する画質が「２４０ｐｘ×１８０ｐｘ」の画質に制限設定されているときには、ＱＶＧＡ液晶の液晶モニタ５に表示可能（切替可能）な画質は、「２４０ｐｘ×１８０ｐｘ」または「１８０ｐｘ×１３５ｐｘ」であり、これらより高画質である「３２０ｐｘ×２４０ｐｘ」で表示することは制限（禁止）される。
【００５１】
また、「再生画質の制限」が設定されていなくてＳ２２の判別が“ＮＯ”である場合、または、Ｓ２３の処理が終了すると、続いて、制御部１４は、画像再生の制限方法として「再生画像拡大の制限」が撮影者によって設定されているか否かを判別する（Ｓ２４）。この判別が“ＹＥＳ”である場合、制御部１４は、液晶モニタ５に再生する際に許容される撮影画像の拡大率を、図３，Ｓ７の処理で設定されている設定倍率（拡大率）までに制限する処理を実行する（Ｓ２５）。例えば、「拡大不可」の拡大率の設定がされているときには、液晶モニタ５に再生表示する撮影画像の拡大表示を一切禁止する（拡大操作を受け付けない）。また、「２倍拡大まで許可」あるいは「４倍拡大まで許可」の各設定がされているときには、液晶モニタ５に再生表示する撮影画像の拡大表示を、ユーザーによる不図示の拡大表示ボタンへの拡大指示操作に応じて、最大で２倍あるいは４倍の各拡大率まで許容する。もし、「２倍拡大まで許可」に制限設定されている場合には、ユーザーが拡大表示ボタンを操作しても、４倍拡大表示は行われない。
【００５２】
また、「再生画像拡大の制限」が設定されていなくてＳ２４の判別が“ＮＯ”である場合、または、Ｓ２５の処理が終了すると、続いて、制御部１４は、画像再生の制限方法として「再生開始許容時間の制限」が撮影者によって設定されているか否かを判別する（Ｓ２６）。この判別が“ＹＥＳ”である場合、制御部１４は、許容する再生開始時間（再生開始タイミング）、すなわち液晶モニタ５に再生表示を開始することが許容される許容時間を、図３，Ｓ９の処理で設定されている許容時間に制限する処理を実行する（Ｓ２７）。この処理では、設定されている許容時間（例えばその画像が撮影されて以降３０分）と撮影されてからの実際の経過時間とが比較され、その経過時間がその許容時間を超えていなければ、液晶モニタ５にその撮影画像が再生表示される（再生表示が許可される）が、経過時間が許容時間を超えていれば、その撮影画像の再生表示を指示するための操作をユーザーがデジタルカメラ１に対して行ったとしても、液晶モニタ５にその撮影画像が再生表示されるのが禁止される。
【００５３】
また、「再生開始許容時間の制限」が設定されていなくてＳ２６の判別が“ＮＯ”である場合、または、Ｓ２７の処理が終了すると、続いて、制御部１４は、画像再生の制限方法として「画像再生ＮＧ」が撮影者によって設定されているか否かを判別する（Ｓ２８）。この判別が“ＹＥＳ”である場合、制御部１４は、液晶モニタ５における撮影画像の再生表示を一切禁止する処理を実行する（Ｓ２９）。Ｓ２８の判別が“ＮＯ”である場合、または、Ｓ２９の処理が終了すると、画像再生制限処理は終了する。
【００５４】
このような本実施形態によるデジタルカメラ１によれば、上述したように、制御部１４による撮影画像の液晶モニタ５への再生表示機能は、機能制限手段によって、撮影画像の液晶モニタ５への再生表示の、開始が許容される許容時間または表示形態のうちの少なくともいずれか一方が規制されることにより、制限される（図５，Ｓ２３，Ｓ２５，Ｓ２７，Ｓ２９参照）。このため、機能制限手段によって撮影画像の液晶モニタ５への再生表示の開始が許容される時間が図５，Ｓ２７の処理によってある許容時間に規制された後は、液晶モニタ５に再生表示される撮影画像を第三者が閲覧する機会や、他のカメラで撮影されることで第三者に盗難される機会が無くなり、撮影画像の第三者による閲覧や盗難を防止することができる。一方、撮影者は、機能制限手段によって撮影画像の液晶モニタ５への再生表示の開始が許容される時間が規制されるまでは、液晶モニタ５に再生表示される撮影画像の閲覧を行うことができる。このため、撮影者は、鍵装置２０を使ってロックモードを一旦開始させれば（図３，Ｓ１参照）、その都度鍵装置２０を用いたロックモードの解除をする操作を行わなくても、つまり、従来の文献１に開示されたデジタルカメラのようにその都度画像ロック機能を解除する操作を行わなくても、機能制限手段によって許容時間が規制されるまでは、撮影画像の閲覧を手間をかけることなく行うことが可能となる。この結果、撮影者が画像確認を手間なく行うことを可能としながら、撮影画像の第三者による閲覧や盗難を防止することができるデジタルカメラ１が提供される。また、機能制限手段によって撮影画像の液晶モニタ５への表示形態が図５，Ｓ２３，Ｓ２５，またはＳ２９の処理によって撮影者が許容する再生画質（図３，Ｓ５参照），拡大率（図３，Ｓ７参照），または再生禁止（図３，Ｓ１１参照）に規制されることにより、液晶モニタ５に再生表示される撮影画像がもし第三者により閲覧されたり盗まれても、撮影画像は明瞭に視認されないため、撮影画像の内容が第三者に明瞭に把握されてしまうことが防止される。
【００５５】
また、本実施形態では、制御部１４による撮影画像の液晶モニタ５への再生表示機能は、経過時間計測手段により計測された経過時間が時間設定手段によって設定された許容時間（例えば撮影後３０分）に達すると、機能制限手段によって、その画像の再生ができなくなるように制限される（図３，Ｓ９、図５，Ｓ２７、図４（ｅ）参照）。このため、撮影者は、時間設定手段によって許容時間を設定することにより、例えば撮影後における各撮影画像の閲覧が許容される時期を希望の時期（時間）に設定することができ、各撮影画像の閲覧の際の撮影者の便宜が図られるようになる。
【００５６】
また、本実施形態では、機能制限手段による再生表示機能の上記の制限は、経過時間計測手段により計測された経過時間が時間設定手段によって設定された許容時間（例えば撮影後３０分）に達すると、撮影画像の液晶モニタ５への再生表示が禁止されることにより、行われる。このため、撮影画像の液晶モニタ５への再生表示の開始が許容されている時間が経った後における、撮影画像の第三者による閲覧や盗難を確実に防止することができる。
【００５７】
また、本実施形態では、制御部１４による撮影画像の液晶モニタ５への再生表示機能は、機能制限手段によって、撮影画像の液晶モニタ５への再生表示が、制限形態選択手段により選択された「再生画質の制限」，「再生画像拡大の制限」，または「画像再生ＮＧ」のいずれかの表示形態に規制されて、制限される（図３，Ｓ３、図４（ｂ）参照）。このため、第三者によって閲覧される撮影画像は、制限形態選択手段によって選択された表示形態に制限され、撮影者の許容する表示形態に制限される。
【００５８】
また、本実施形態では、制御部１４による撮影画像の液晶モニタ５への再生表示機能は、機能制限手段によって、液晶モニタ５に再生表示される画像データのデータ圧縮手段による圧縮率が選択されて画質が「３２０ｐｘ×２４０ｐｘ」，「２４０ｐｘ×１８０ｐｘ」または「１８０ｐｘ×１３５ｐｘ」のいずれかに規制されることにより、制限される（図３，Ｓ５、図５，Ｓ２３、図４（ｃ）参照）。このため、第三者によって閲覧される撮影画像は、選択された撮影者の許容する圧縮率で圧縮された画質に制限される。
【００５９】
また、本実施形態では、制御部１４による撮影画像の液晶モニタ５への再生表示機能は、機能制限手段によって、液晶モニタ５に再生表示される撮影画像の拡大表示手段による拡大表示の設定倍率が、「拡大不可」，「２倍拡大まで許可」または「４倍拡大まで許可」のいずれかの所定倍率以下に規制されることにより、制限される（図３，Ｓ７、図５，Ｓ２５、図４（ｄ）参照）。このため、第三者によって閲覧される撮影画像は、拡大表示が撮影者の許容する所定倍率以下に制限される。
【００６０】
また、本実施形態では、制御部１４による撮影画像の液晶モニタ５への再生表示機能は、機能制限手段によって、制限度合い選択手段により選択された「３２０ｐｘ×２４０ｐｘ」，「２４０ｐｘ×１８０ｐｘ」または「１８０ｐｘ×１３５ｐｘ」のいずれかの度合いの画質に再生表示機能が規制されることにより（図５，Ｓ２３参照）、または、制限度合い選択手段により選択された「拡大不可」，「２倍拡大まで許可」または「４倍拡大まで許可」のいずれかの度合いの拡大表示に再生表示機能が規制されることにより（図５，Ｓ２５参照）、制限される。このため、第三者によって閲覧される撮影画像は、制限度合い選択手段によって選択された撮影者の許容する度合いの再生表示に制限される。
【００６１】
なお、上記実施形態では、画像データが選択された圧縮率で圧縮されることにより液晶モニタ５に再生表示される撮影画像の画質が、「３２０ｐｘ×２４０ｐｘ」，「２４０ｐｘ×１８０ｐｘ」または「１８０ｐｘ×１３５ｐｘ」で表される画質に制限される場合を説明したが（図３，Ｓ５、図５，Ｓ２３、図４（ｃ）参照）、本発明はこれに限られるものではない。例えば、再生表示手段が、メモリカード１５に記録された画像データに基づいて複数の撮影画像を液晶モニタ５にサムネイル表示する機能を有し、機能制限手段による表示形態の規制が、複数のサムネイル画像の中から選択される一のサムネイル画像に対応する一の撮影画像（本画像）の画像データに対して、データ圧縮手段による圧縮率を所望の圧縮率に制限して画質を制限するように構成することも、可能である。
【００６２】
上記の構成によれば、機能制限手段によって、液晶モニタ５にサムネイル表示される一のサムネイル画像に対応する一の撮影画像の画像データに対して所望の圧縮率が適用されて、液晶モニタ５の全面を使って再生表示されるその一の撮影画像の画質が規制される。このため、第三者によって閲覧される各サムネイル画像に対応する撮影画像は、撮影者の許容する圧縮率で圧縮された画質に制限される。
【００６３】
また、上記実施形態では、機能制限手段による表示形態の規制が、再生画質または拡大表示が制限された状態で液晶モニタ５に表示される場合、または画像再生が禁止される場合を説明したが（図５，Ｓ２３，Ｓ２５，Ｓ２９参照）、本発明はこれに限られるものではない。例えば、再生表示手段が、メモリカード１５に記録された画像データに基づいて複数の撮影画像を液晶モニタ５にサムネイル表示する機能を有し、機能制限手段による表示形態の規制が、再生表示手段による撮影画像の液晶モニタ５への再生表示をサムネイル表示のみに制限することを含む構成とすることも可能である。
【００６４】
上記の構成によれば、制御部１４による撮影画像の液晶モニタ５への再生表示機能は、機能制限手段によって、撮影画像の液晶モニタ５への表示形態がサムネイル表示に規制され、制限される。このため、第三者によって閲覧される撮影画像は、サムネイル表示画像に制限される。
【００６５】
また、上記実施形態では、制限度合い選択手段によって選択された度合いで再生表示機能が制限される場合を説明したが（図５，Ｓ２３，Ｓ２５参照）、本発明はこれに限られるものではない。例えば、機能制限手段が、経過時間計測手段によって計測される経過時間に応じて、再生表示機能を制限する度合いを、例えば、「４倍拡大まで許可」，「２倍拡大まで許可」，「拡大不可」，および「画像再生ＮＧ」の順に、順次機能の制限度合い（制限の程度）を高めていく（自動的に変えていく）ようにしてもよい。
【００６６】
上記の構成によれば、制御部１４による撮影画像の液晶モニタ５への再生表示機能は、機能制限手段によって、再生表示の制限される度合いが経過時間計測手段によって計測される経過時間に応じて自動的に高められることにより、制限される。再生表示機能を制限する度合いを高めるということが、上記の例のように、経過時間に応じて拡大表示の拡大倍率の上限を、４倍，２倍，拡大禁止といった順序で徐々に低く設定する構成の場合、第三者によって閲覧される撮影画像は、撮影画像の拡大表示の倍率の上限が経過時間に応じて徐々に低くなり、拡大表示が制限されるようになる。このため、第三者によって閲覧される撮影画像は、その画像が撮影されてからの経過時間に応じて再生表示の制限される度合いが自動的に高められて、認識し難くなる。
【００６７】
また、上記実施形態では、撮影画像が撮影されて画像データがメモリカード１５に記録されてからの経過時間が許容時間に達すると、液晶モニタ５への再生表示が禁止されることによって再生表示機能が制限される場合を説明したが（図５，Ｓ２７参照）、本発明はこれに限られるものではない。例えば、撮影画像が撮影されてからの経過時間が許容時間に達すると、液晶モニタ５への再生表示を禁止する代わりに、液晶モニタ５で再生表示される再生画像の画質を図５，Ｓ２３の処理のように制限したり、液晶モニタ５で再生表示される再生画像の拡大表示を図５，Ｓ２５の処理のように制限したりするというように、表示形態を制限する構成にしてもよい。また、撮影画像が撮影されて画像データがメモリカード１５に記録されてからの経過時間が許容時間に達した場合に、液晶モニタ５における再生表示を制限するのではなく、撮影画像が撮影されて画像データがメモリカード１５に記録されてから、液晶モニタ５でその画像が再生表示された回数が所定回数に達した場合に、液晶モニタ５における再生表示を制限する構成とするようにしてもよい。
【００６８】
また、上記実施形態では、画像の再生制限をすることが撮影者により選択された場合（図３，Ｓ５，Ｓ７，Ｓ９，Ｓ１１参照）に再生表示が制限される場合を説明したが（図５，Ｓ２３，Ｓ２５，Ｓ２７，Ｓ２９参照）、本発明はこれに限られるものではない。例えば、デジタルカメラ１の電源として用いられる電池の残量が少なくなったときに、液晶モニタ５における撮影画像の再生表示をサムネイル表示に切り換えるなどして、制御部１４が処理するデータ量が少なくなるように、液晶モニタ５での再生表示が制限される構成にしてもよい。このようにして再生表示機能を制限することにより、撮影画像の再生表示に必要とされる消費電力が抑えられ、残りわずかとなった電池の消耗を極力防ぐことができる。
【００６９】
また、上記実施形態では、液晶モニタ５において再生表示される撮影画像の拡大表示を全ての撮影画像に対して制限する場合を説明したが（図３，Ｓ７、図５，Ｓ２５、図４（ｄ）参照）、本発明はこれに限られるものではない。例えば、制御部１４が顔認証機能を備え、この顔認証機能によって、再生表示させる撮影画像中に人物の顔が含まれることが検出されたり、あるいはその撮影画像において人物の顔が占める面積の割合が所定の大きさ以上であることが検出されたときに、液晶モニタ５に再生表示される撮影画像の拡大表示を制限する構成とすることも可能である。この構成によれば、撮影画像において人物の顔が主要被写体となっているような場合に、その人物の顔や顔の細部が拡大表示されてしまうことを防止できる。また、このように構成すれば、顔が拡大表示されてしまうことを嫌がる者に配慮がなされたデジタルカメラが提供される。
【００７０】
また、上記実施形態では、液晶モニタ５の画像再生が、「再生画質の制限」，「再生画像拡大の制限」，「再生開始許容時間の制限」または「画像再生ＮＧ」の中から選択されるいずれか一の制限方法または複数の制限方法で制限される場合を説明したが（図５，Ｓ２３，Ｓ２５，Ｓ２７，Ｓ２９参照）、本発明はこれに限られるものではない。例えば、液晶モニタ５の画像再生が、これら「再生画質の制限」，「再生画像拡大の制限」，「再生開始許容時間の制限」もしくは「画像再生ＮＧ」の中だけでなく、その他の制限方法をも含む複数の制限方法の中から任意に選択される一の制限方法または複数の制限方法の組合わせによって制限される構成としてもよい。
【産業上の利用可能性】
【００７１】
上記実施形態においては、本発明をデジタルカメラに適用した場合について説明したが、画像記録手段に記録された画像データに基づいて撮影画像を画像表示部に再生表示させる再生表示手段を備えたカメラ付き携帯電話機などの他の種々の撮影装置に本発明を適用することも可能である。このような装置に本発明を適用した場合においても、上記実施形態と同様な作用効果が奏される。
【図面の簡単な説明】
【００７２】
【図１】本実施形態によるデジタルカメラの外観を示しており、（ａ）は正面斜視図、（ｂ）は背面図である。
【図２】図１に示すデジタルカメラの内部構成を示すブロック図である。
【図３】図１に示すデジタルカメラの制御部によって行われる再生制限方法設定処理の概略を示すフローチャートである。
【図４】図３に示す再生制限方法設定処理において液晶モニタに表示される種々の選択画面を示す図である。
【図５】図１に示すデジタルカメラの制御部によって行われる画像再生制限処理の概略を示すフローチャートである。
【符号の説明】
【００７３】
１…デジタルカメラ
２…光学レンズユニット
５…液晶モニタ
６…マルチセレクタ
８…端子孔
１１…撮像素子
１２…アナログ信号処理部
１３…Ａ／Ｄ変換器
１４…制御部
１５…メモリカード
２０…鍵装置
２１…端子部
【図１】
0005163136.tif 000002
【図２】
0005163136.tif 000003
【図３】
0005163136.tif 000004
【図４】
0005163136.tif 000005
【図５】
0005163136.tif 000006